(57)【特許請求の範囲】
【請求項１】
キャットウォークにフォーク状支持アームを設け、機器を取り付ける取付棒体の上部に、上記支持アーム上に架け渡して着脱可能に取り付ける第１のアーム受けと、把手を設けると共に、取付棒体の機器寄りに上記支持アームに架け渡して支持可能な第２のアーム受けを設けたことを特徴とする機器の高所設置機構
【請求項２】
フォーク状支持アームは進退調節可能に構成したことを特徴とする請求項１に記載の照明器具等の機器の高所設置機構
【請求項３】
取付棒体は伸縮調節可能に構成したことを特徴とする請求項１又は２に記載の機器の高所設置機構
【発明の詳細な説明】
【０００１】
【発明の属する技術分野】
本発明は、照明器具等の機器の高所設置機構に関するものである。
【０００２】
【従来の技術】
体育館やスタジオ等の大空間の施設において、高所に設置する照明器具や音響機器等の機器は、従来、それらの配置に応じて設置されたキャットウォークに直接的に又は取付棒体を介して、容易には取り外せないように取り付けている。
【０００３】
図１３は照明器具ａをキャットウォークｂに直接的に取り付けたものを概念的に示すもので、また図１４は照明器具ａを取付棒体ｃを介してキャットウォークｂに取り付けたものを概念的に示すものである。
【０００４】
【発明が解決しようとする課題】
以上のように設置されている照明器具ａ等の機器を点検したり、またはランプの交換等を行う場合には、従来は、図１３，図１４に示されるようにキャットウォークｂから身を乗り出して行っているため、危険であり、図１４に示すように取付棒体ｃを介して取り付けられている場合には、機器に手が届かない場合もあり得る。
本発明はこのような課題を解決することを目的とするものである。
【０００５】
【課題を解決するための手段】
上述した課題を解決するために、本発明では、キャットウォークにフォーク状支持アームを設け、機器を取り付ける取付棒体の上部に、上記支持アーム上に架け渡して着脱可能に取り付ける第１のアーム受けと、把手を設けると共に、取付棒体の機器寄りに上記支持アームに架け渡して支持可能な第２のアーム受けを設けた構成の機器の高所設置機構を提案している。
【０００６】
以上の本発明においては、フォーク状支持アームは進退調節可能に構成することができ、また取付棒体は伸縮調節可能に構成することができる。
【０００７】
本発明によれば、作業者は、支持アーム上に架け渡して取り付けられている第１のアーム受けを外し、把手を掴んで取付棒体を支持アームの前方にある程度引き上げた後、第２のアーム受けを支持アーム上に位置させて仮置きすることができ、次いで体勢を立て直して更に引き上げることにより、取付棒体が長く、従って昇降させるストロークが大きい場合にも機器を安全にキャットウォーク内に移動することができ、こうしてキャットウォーク内で安全に点検やランプの交換等を行うことができる。
【０００８】
フォーク状支持アームを進退調節可能に構成したり、また取付棒体を伸縮調節可能に構成することにより、キャットウォークに対しての機器の設置位置を調節することができる。
【０００９】
【発明の実施の形態】
次に本発明の実施の形態を図１〜図１２を参照して説明する。
この実施の形態は、本発明の設置機構を照明器具の設置に利用したもので、これらの図において、符号１は体育館やスタジオ等の大空間の施設に設置されたキャットウォークを示すものであり、符号２はキャットウォーク１に設けたフォーク状支持アームを示すものである。
【００１０】
フォーク状支持アーム２はキャットウォーク１の横方向に突設されたアーム３に、長孔４とボルト５とにより進退可能に取り付けられており、端部には端板６が設けられ上部が突出している。
【００１１】
符号７は照明器具８の取付棒体を示すものであり、この取付棒体７は、伸縮可能に嵌合された上側角パイプ９と下側角パイプ１０とから構成され、長孔１１とボルト１２とにより伸縮可能に取り付けられている。
【００１２】
そして取付棒体７の上部、即ち上側角パイプ９の上部には、上記支持アーム２上に架け渡して着脱可能に取り付ける第１のアーム受け１３と把手１４を設けている。詳細には、第１のアーム受け１３は支持アーム２に架け渡される帯板形状であり、支持アーム２の基部側から端部方向に延びる長溝１５が形成され、この長溝１５を介して支持アーム２にボルト１６を締め付けることにより固定される構成である。また第１のアーム受け１３は支持アーム２の端部側に上方への折曲部１７が形成されている。
【００１３】
また取付棒体７の下部、即ち下側角パイプ１０の下部には照明器具取付板１８が設けられており、この照明器具取付板１８は上記支持アーム２の一対のアーム部材間の間隔よりも広く形成されていて、この支持アーム２上に架け渡して支持可能な構成となっている。そしてこの照明器具取付板１８に照明器具８の支持フレーム１９が取り付けられている。
【００１４】
以上の構成において、図１〜図３に示すように高所に設置されている照明器具８の点検やランプの交換を行う場合には、作業員は、まず安全のために、図１に示すように一端側をキャットウォーク１の手摺２０に支持した落下防止用ワイヤー２１の他端側をリングシャックル２２により第１のアーム受け１３の折曲部１７に設けた孔（図示省略）に支持する。尚、図１において符号２３は施設の天井である。
【００１５】
次いで作業員は、図４に示すように支持アーム２の長溝１５部分を締め付けているボルト１６を緩めた後、把手１４を掴んで取付棒体７を前にずらす。これによって図５に示すように第１のアーム受け１３の長溝１５がボルト１６から外れる。この作業において仮に取付棒体７を前方にずらし過ぎたとしても端板６がストッパーとなるため落下が防止できる。
【００１６】
次いで図６に示すように把手１４を掴んだまま第１のアーム受け１３を端板６の上端よりも上に引き上げた後、図７に示すように取付棒体７を前方に押し出して第１のアーム受け１３を支持アーム２から離し、そのまま図８に示すように上方に引き上げる。
【００１７】
このようにして取付棒体７と共に照明器具８が引き上げられて、図９に示されるように照明器具取付板１８が支持アーム２の位置まで上昇した場合には、この照明器具取付板１８を、図１０に示すように端板６を越えて支持アーム２上にもたらすと、そこに仮置きすることができる。即ち、この照明器具取付板１８は上述した第２のアーム受けとして利用することができ、このように支持された状態において、作業者は必要に応じて把手１４から手を離す等して体勢を立て直すことができる。
【００１８】
体勢を立て直した作業者は、次いで照明器具取付板１８を、図１１に示すように端板６を越えて支持アーム２から離し、この状態において再び取付棒体７を引き上げ、そして図１２に示すように照明器具１８を取付棒体７と共にキャットウォーク１内に引き込むことができる。
【００１９】
こうして作業者は、キャットウォーク１内で安全に照明器具１８の点検やランプの交換等を行うことができ、また以上の手順と逆の手順により、点検やランプの交換を行った照明器具１８を安全に設置することができる。
【００２０】
以上に説明した実施の形態では、上述したとおり、照明器具取付板１８を第２のアーム受けとして利用することにより、取付棒体７そして照明器具１８をある程度引き上げた際に支持アーム２上に仮置きして支持することができ、次いで体勢を立て直した状態で更に引き上げてキャットウォーク１内に引き込むことができるので、取付棒体７が長く、従って昇降させるストロークが大きい場合にも重量物である照明器具１８を困難なく安全にキャットウォーク１内に移動することができ、こうしてキャットウォーク１内で安全に点検やランプの交換等を行うことができる。
【００２１】
尚、第２のアーム受けは、以上に説明した実施の形態の構成とは異なり、照明器具取付板１８とは別の個所に設けることもできることは勿論である。また取付棒体７が短く、従ってその昇降のストロークが小さい場合には、第２のアーム受けを省略することもできることは勿論である。
【００２２】
【発明の効果】
本発明は以上のとおりであるので、体育館やスタジオ等の大空間の施設において、高所に設置する照明器具や音響機器等の機器を、キャットウォーク内で安全に点検やランプの交換等を行うことができるという効果がある。
【図面の簡単な説明】
【図１】  本発明に係る機構の実施の形態を機器の設置状態において示す側面図である。
【図２】  本発明に係る機構の実施の形態を機器の設置状態において示す正面図である。
【図３】  本発明に係る機器の実施の形態を機器の設置状態において示す平面図である。
【図４】  本発明に係る機構の実施の形態を機器の取り外し過程の一局面において示す側面図である。
【図５】  本発明に係る機構の実施の形態を機器の取り外し過程の次の局面において示す側面図である。
【図６】  本発明に係る機構の実施の形態を機器の取り外し過程の更に次の局面において示す側面図である。
【図７】  本発明に係る機構の実施の形態を機器の取り外し過程の更に次の局面において示す側面図である。
【図８】  本発明に係る機構の実施の形態を機器の取り外し過程の更に次の局面において示す側面図である。
【図９】  本発明に係る機構の実施の形態を機器の取り外し過程の更に次の局面において示す側面図である。
【図１０】  本発明に係る機構の実施の形態を機器の取り外し過程の更に次の局面において示す側面図である。
【図１１】  本発明に係る機構の実施の形態を機器の取り外し過程の更に次の局面において示す側面図である。
【図１２】  本発明に係る機構の実施の形態を機器の取り外し過程の更に次の局面において示す側面図である。
【図１３】  従来の設置機構により設置されている照明器具の点検やランプ交換等を行う際の作業状態を示す説明図である。
【図１４】  従来の他の設置機構により設置されている照明器具の点検やランプ交換等を行う際の作業状態を示す説明図である。
【符号の説明】
１                    キャットウォーク
２                    フォーク状支持アーム
３                    アーム
４                    長孔
５                    ボルト
６                    端板
７                    取付棒体
８                    照明器具
９                    上側角パイプ
１０                  下側角パイプ
１１                  長孔
１２                  ボルト
１３                  第１のアーム受け
１４                  把手
１５                  長溝
１６                  ボルト
１７                  折曲部
１８                  照明器具取付板（第２のアーム受け）
１９                  支持フレーム
２０                  手摺
２１                  落下防止用ワイヤー
２２                  リングシャックル
２３                  天井
【図１】
0004053270.tif 000002
【図２】
0004053270.tif 000003
【図３】
0004053270.tif 000004
【図４】
0004053270.tif 000005
【図５】
0004053270.tif 000006
【図６】
0004053270.tif 000007
【図７】
0004053270.tif 000008
【図８】
0004053270.tif 000009
【図９】
0004053270.tif 000010
【図１０】
0004053270.tif 000011
【図１１】
0004053270.tif 000012
【図１２】
0004053270.tif 000013
【図１３】
0004053270.tif 000014
【図１４】
0004053270.tif 000015